(57)【要約】【課題】光ピックアップの光ディスク外縁からの突出量を低減し、装置の小型化を図ることが可能な光ピックアップ及び光ディスク装置を提供する。【解決手段】光ディスク内周側に対応する弾性支持部材と光ディスク外周側に対応する弾性支持部材を左右非対称に配置する。その際、光ディスク外周側に対応する弾性支持部材２０ｂ１，２０ｂ２をレンズ保持部材１８の前方側に、光ディスク内周側に対応する弾性支持部材２０ａ１，２０ａ２をレンズ保持部材１８の後方側にずらして配置する。そうすることで光ディスク外縁に対する光ピックアップの突出量を低減する。【選択図】図２
2008021346.tif 000002
【特許請求の範囲】
【請求項１】
対物レンズ、前記対物レンズを保持するレンズ保持部材を有する可動部と、支持基台とを含み、前記レンズ保持部材の両側側面に形成された取り付け部と前記支持基台との間に平行に配置された複数の弾性支持部材によって前記可動部を支持する光ピックアップにおいて、
前記平行に配置された複数の弾性支持部材のうち、光ディスク内周側に対応する弾性支持部材と光ディスク外周側に対応する弾性支持部材が左右非対称で、前記光ディスク外周側に対応する弾性支持部材が前記レンズ保持部材の前方側に、前記光ディスク内周側に対応する弾性支持部材が前記レンズ保持部材の後方側にずらして配置されていることを特徴とする光ピックアップ。
【請求項２】
前記可動部の重心と、前記複数の弾性支持部材による支持の中心が一致していることを特徴とする請求項１に記載の光ピックアップ。
【請求項３】
前記対物レンズは、前記光ディスク外周側に対応する弾性支持部材側に片寄せて配置されていることを特徴とする請求項１又は２に記載の光ピックアップ。
【請求項４】
光ディスクの記録トラックに集光するようにレーザ光を照射して情報信号の記録または再生を行う光ピックアップを備えた光ディスク装置において、前記光ピックアップは、請求項１〜３のいずれか１項に記載の光ピックアップであることを特徴とする光ディスク装置。
【発明の詳細な説明】
【技術分野】
【０００１】
本発明は、レーザ光を光ディスクの情報信号記録層に集光させることによって情報信号の記録または再生を行う光ピックアップ、及びそれを使用した光ディスク装置に関するものである。
【背景技術】
【０００２】
従来より、光ディスクに対して情報信号の記録や再生を行う光ディスク装置が実用化されている。図６はこのような光ディスク装置の概略構成を示す。図中１は光ピックアップ、２は光ディスクを回転駆動するスピンドルモータである。
【０００３】
３は光ピックアップ１を支持するガイド軸、４はこれら光ピックアップ１、スピンドルモータ２等が搭載されたシャーシである。光ピックアップ１は光学基台５、光学基台５上に搭載されたレーザ光源６、偏光ビームスプリッタ７、コリメータレンズ８、１／４波長板９、ミラー１０、センサレンズ１１、センサ１２、アクチュエータ１３より構成されている。
【０００４】
図７（ａ）はアクチュエータ１３の斜視図、図７（ｂ）はその平面図である。アクチュエータ１３はアクチュエータ基台１４、アクチュエータ基台１４上に固定された磁気回路１５ａ，１５ｂ、支持基台１６、及び対物レンズ１７とこれを保持するレンズ保持部材１８より構成されている。
【０００５】
レンズ保持部材１８は、その両端に形成された取り付け部１９ａ１，１９ａ２，１９ｂ１，１９ｂ２において、２対（４本）の線状で弾性を有する弾性支持部材２０ａ１，２０ａ２，２０ｂ１，２０ｂ２の先端に保持されている。弾性支持部材２０ａ１，２０ａ２，２０ｂ１，２０ｂ２の基端は、支持基台１６に設けられた固定部２１ａ１，２１ａ２，２１ｂ１，２１ｂ２において固定されている。
【０００６】
この構造により、レンズ保持部材１８は光ディスク１に対して垂直方向及びラジアル方向への変位が自在となるように保持されている。レンズ保持部材１８には駆動コイル（図示せず）が設けられており、駆動コイルに供給される電流と磁気回路１５ａ，１５ｂが発生する磁束との間で発生する電磁力によって、レンズ保持部材１８を駆動することができる。
【０００７】
図８は光ディスク装置のスピンドルモータ２に光ディスク５０を装着した状態を示す。情報信号の記録または再生を行うための光ディスク５０は可逆的に相状態が変化し得る相変化材料から成る情報信号記録層を備えており、この情報信号記録層には螺旋状または同心円状の記録トラックが形成されている。
【０００８】
情報信号記録層は、予めピット（凹凸）によって情報信号を形成した金属反射膜から成るのであってもよい。なお図８において、２２は光ディスクの外縁、Ｔ１は記録トラックの最内周、Ｔ２は最外周を示す。Ｐは光ピックアップ１によるレーザ光の照射位置である。
【０００９】
情報信号の記録又は再生を行う場合には、まず、スピンドルモータ２により光ディスク５０を回転駆動する。この状態で、レーザ光源６より発生させたレーザ光を、偏光ビームスプリッタ７を透過させ、コリメータレンズ８によって平行光とする。
【００１０】
更に、１／４波長板９を透過させることによって直線偏光から円偏光に変化させ、これをミラー１０で９０度反射させ、対物レンズ１７によって光ディスク５０の情報信号記録層上に微小な光スポットに集光するように照射する。
【００１１】
情報信号記録層からの反射光は対物レンズ１７により再び平行光となり、１／４波長板９の透過によって円偏光から直線偏光に変化する。この直線偏光は往路の入射光に対して偏光方向が９０度回転しているので、コリメータレンズ８を透過後、偏光ビームスプリッタ７によって反射され、センサレンズ１１によってセンサ１２に集光される。
【００１２】
センサ１２は複数に分割された受光面を備えており、各受光面の検出信号より制御回路（図示せず）によってフォーカスエラー信号とトラッキングエラー信号が生成され、これらのエラー信号に基づく制御電流がアクチュエータ１３に供給される。アクチュエータ１３はこの制御電流によって可動部を光ディスク５０に対して垂直な方向と記録トラックに直交するラジアル方向とに駆動する。
【００１３】
このようにして光スポットは、光ディスク５０が面振れにより垂直方向に変位しても、これに追従して記録トラック上に正確に集光するようにフォーカスが制御される。また記録トラックが光ディスク５０の偏芯によりラジアル方向に変位してもこれに追従しながら走査するようにトラッキングが制御される。
【００１４】
このような制御状態を維持しつつ、記録時には情報信号によってパルス変調された高強度の記録光を情報信号記録層に照射して、繰り返し加熱冷却を行う。そして、そのプロセスの違いによってアモルファス相、または結晶相に相状態が変化した記録マークを情報信号として記録する。再生時には低強度の再生光を情報信号記録層に照射し、記録マークからの反射光をセンサによって検出し、これより情報信号を再生する。
【００１５】
光ピックアップ１はモータ等の移送手段（図示せず）により駆動され、レーザ光の照射位置Ｐを光ディスク５０の記録トラックの最内周Ｔ１から最外周Ｔ２まで、任意の半径位置に移動させることが可能である。
【００１６】
特に近年はこのような光ディスク装置の大容量化によって、ポータブル機器例えばデジタルビデオカメラ等の動画記録装置への利用が増加している。また光ディスクの一般的な仕様は直径１２ｃｍであるが、ポータブル機器への内蔵を目的として直径８ｃｍに小型化した光ディスクと、専用の光ディスク装置も実用化されている。このような光ディスク装置は、例えば、特許文献１に記載されている。
【特許文献１】特開２００１−２２９５５４号公報
【発明の開示】
【発明が解決しようとする課題】
【００１７】
このようなポータブル機器に内蔵される光ディスク装置においては、より一層の小型化、軽量化が重要な課題となっている。しかし光ピックアップの形状が、光ディスク装置の小型化にとって制約となっている。これについて以下説明する。
【００１８】
図８は上述のように従来の光ディスク装置において光ピックアップ１が記録トラックの最外周Ｔ２に位置している状態を示す。この状態では光ピックアップ１の一部は、光ディスク５０の外縁２２よりも外側に突出する。
【００１９】
特にアクチュエータ１３の弾性支持部材２０ａ１，２０ａ２，２０ｂ１，２０ｂ２は、通常２対以上で構成され、光ディスク５０の記録トラックに略平行となるようにレンズ保持部材１８の両端の取り付け部に取り付けられている。
【００２０】
弾性支持部材２０ａ１，２０ａ２，２０ｂ１，２０ｂ２は、所望の弾性を得るために最低限の長さを必要とする。そのため弾性支持部材２０ａ１，２０ａ２，２０ｂ１，２０ｂ２の基端を固定する支持基台１６の一部分は、光ディスク５０の外縁２２からの突出量が最も大きくなる。このような課題は直径の小さい光ディスクを使用する専用の光ディスク装置において特に深刻である。
【００２１】
その結果、シャーシ４を光ディスク５０の外形寸法に近づけるべく、最小限の寸法で実現したとしても、この部分だけが光ディスクの外縁２２から大きく突出するため、光ディスク装置の小型化の課題となっていた。
【００２２】
本発明の目的は、光ピックアップの光ディスク外縁からの突出量を低減し、光ディスク装置の小型化を図ることが可能な光ピックアップ及びそれを使用した光ディスク装置を提供することにある。
【課題を解決するための手段】
【００２３】
本発明は、レンズ保持部材の両側側面と支持基台との間に平行に配置された複数の弾性支持部材のうち、光ディスク内周側に対応する弾性支持部材と光ディスク外周側に対応する弾性支持部材とを左右非対称に配置する。その際、光ディスク外周側に対応する弾性支持部材をレンズ保持部材の前方側に、光ディスク内周側に対応する弾性支持部材をレンズ保持部材の後方側にずらして配置する。そうすることで、光ディスク外縁に対する光ピックアップの突出量を低減する。
【発明の効果】
【００２４】
本発明によれば、記録トラックの最外周に移動した場合の、光ディスクの外縁からの突出量を低減することが可能となる。この効果は特に直径の小さい光ディスクに対して顕著である。その結果、シャーシを光ディスクの外形寸法に近づけた、小型の光ディスク装置が実現でき、これを使用したポータブル機器の小型化、軽量化が可能となる。
【発明を実施するための最良の形態】
【００２５】
次に、発明を実施するための最良の形態について図面を参照して詳細に説明する。
【００２６】
（第１の実施形態）
図１は本発明に係る光ディスク装置の第１の実施形態の構成を示す平面図である。図１では図６の従来装置と同一部分には同一符号を付しているが、図６との違いは、特にアクチュエータ１３の構造にある。
【００２７】
そのため、本発明に係る光ディスク装置の光ピックアップ１を除く構成及び動作は図６に示す従来装置と同様であるので詳細な説明は省略する。本実施形態では、シャーシ４、光ピックアップ１の構成、特に、アクチュエータ１３の詳細な構成について説明する。
【００２８】
図２（ａ）は本発明に係るアクチュエータ１３の斜視図、図２（ｂ）はその平面図である。アクチュエータ１３はアクチュエータ基台１４、アクチュエータ基台１４上に固定された磁気回路１５ａ，１５ｂ、支持基台１６、及び対物レンズ１７とこれを保持するレンズ保持部材１８より構成されている。
【００２９】
レンズ保持部材１８は、その両端に形成された取り付け部１９ａ１，１９ａ２，１９ｂ１，１９ｂ２において、２対（４本）の線状で弾性を有する弾性支持部材２０ａ１，２０ａ２，２０ｂ１，２０ｂ２の先端に保持されている。弾性支持部材２０ａ１，２０ａ２，２０ｂ１，２０ｂ２の基端は支持基台１６に固定されている。
【００３０】
この構造により、レンズ保持部材１８は光ディスクに対して垂直方向及びラジアル方向への変位が自在となるように保持されている。レンズ保持部材１８には駆動コイル（図示せず）が設けられており、駆動コイルに供給される電流と磁気回路１５ａ，１５ｂが発生する磁束との間で発生する電磁力によってレンズ保持部材１８を駆動することができる。
【００３１】
ここで、図２（ｂ）において対物レンズ１７より照射されるレーザ光の光ディスク上での位置Ｐにおける記録トラックの接線を示す（図中その方向を矢印Ａで示す）。
【００３２】
この記録トラックの接線を含み、光ディスクに対して垂直な仮想平面Ｓａによって分離された内側領域（光ディスクの中心を含む領域）には弾性支持部材２０ａ１，２０ａ２が互いに略平行になるように配置されている。反対の外側領域には弾性支持部材２０ｂ１，２０ｂ２が互いに略平行になるように配置されている。
【００３３】
このように弾性支持部材２０ａ１，２０ａ２，２０ｂ１，２０ｂ２を一方の領域に偏らせることなく、両側に略対称に配置することは、制御動作時のレンズ保持部材１８のバランスを維持するために必要である。また弾性支持部材２０ａ１，２０ａ２，２０ｂ１，２０ｂ２の長さをすべて略同一にし、弾性を等しくするのが望ましい。
【００３４】
一方、図２（ｂ）において記録トラックのレーザ光照射位置Ｐにおける法線を示す（図中その方向を矢印Ｂで示す）。
【００３５】
この法線を含み、光ディスクに対して垂直な仮想平面をＳｂとすると、外側領域に配置された弾性支持部材２０ｂ１，２０ｂ２の先端の取り付け部１９ｂ１，１９ｂ２と、基端の固定部２１ｂ１，２１ｂ２はこの仮想平面Ｓｂを挟んで異なる側に配置されている。内側領域に配置された弾性支持部材２０ａ１，２０ａ２の先端の取り付け部１９ａ１，１９ａ２と、基端の固定部２１ａ１，２１ａ２は、この仮想平面Ｓｂに対して同一側に配置されている。
【００３６】
要するに、本発明においてはレンズ保持部材１８の取り付け部と支持基台１６間に平行に配置された４本の弾性支持部材のうち、光ディスク内周側に対応する弾性支持部材２０ｂ１，２０ｂ２と光ディスク外周側に対応する弾性支持部材２０ａ１，２０ａ２が左右非対称に配置されている。
【００３７】
その際、光ディスク外周側に対応する弾性支持部材２０ｂ１，２０ｂ２がレンズ保持部材１８の前方側に、光ディスク内周側に対応する弾性支持部材２０ａ１，２０ａ２がレンズ保持部材１８の後方側にずらして配置されている。
【００３８】
これにより、図７（ｂ）に示す従来の光ディスク装置に比較して、外側領域に位置する支持基台１６の固定部２１ｂ１，２１ｂ２は、矢印Ａで示す記録トラックの接線方向について、対物レンズ１７に対して接近させることができる。内側領域に位置する固定部２１ａ１，２１ａ２は、逆に矢印Ａで示す記録トラックの接線方向について、対物レンズ１７から遠ざけることができる。つまり、光ピックアップ１の光ディスク５０の外縁からの突出量を低減できるのである。
【００３９】
また磁気回路１５ａは内側領域内で、仮想平面Ｓｂを挟んで取り付け部１９ａ１，１９ａ２と逆側に、磁気回路１５ｂは外側領域内で、仮想平面Ｓｂを挟んで取り付け部１９ｂ１，１９ｂ２と逆側に、それぞれ配置されている。
【００４０】
即ち対物レンズ１７の光軸の周りに、取り付け部１９ａ１，１９ａ２と取り付け部１９ｂ１，１９ｂ２とは略軸対称に配置され、磁気回路１５ａと磁気回路１５ｂも略軸対称に配置されている。更に、取り付け部１９ａ１，１９ａ２，１９ｂ１，１９ｂ２と磁気回路１５ａ，１５ｂとが、異なる領域に分けて配置されている。
【００４１】
これにより無駄なく最小のスペースに各部分を効率的に配置できるばかりでなく、可動部分の重心、対物レンズ１７の光軸、駆動力の中心（磁気回路１５ａと１５ｂにより発生する駆動力の合力の作用位置）、支持の中心を一致させることが容易である。
【００４２】
支持の中心とは取り付け部１９ａ１，１９ａ２，１９ｂ１，１９ｂ２において弾性支持部材２０ａ１，２０ａ２，２０ｂ１，２０ｂ２から受ける反力の合力の作用位置である。そのため、制御動作時のバランスの維持性能を高めることが可能となる。
【００４３】
更にこのような配置に合わせて支持基台１６全体の形状も非対称（平行四辺形に近い形状）に形成されている。また、光学基台５のスピンドルモータ２と対向する側には凹部５１を形成する等、光学基台５及びシャーシ４もこのようなアクチュエータ１３の配置や形状に合わせて最小形状で形成されている。
【００４４】
図３は本実施形態において光ピックアップ１が最外周Ｔ２に位置している状態を示す。この状態では光ピックアップ１の光ディスク５０の外縁２２より外側への突出量は、図８に示す従来の光ディスク装置に比較して低減されていることが分かる。その結果、シャーシ４を光ディスク５０の外形寸法に近づけることができる。
【００４５】
逆に内周方向への移動においては、内側領域に配置された取り付け部１９ａ１，１９ａ２をスピンドルモータ２に衝突させることなく、より内周にまで光ピックアップ１を移動させることができる。従って光ディスクの記録トラックの最内周Ｔ１をより内周にすれば、記録容量を増大させることが可能である。
【００４６】
（第２の実施形態）
図４（a）は本発明に係るアクチュエータの第２の実施形態を示す斜視図、図２（ｂ）はその平面図である。なお本実施形態の光ディスク装置の全体構成は図１と同様である。また、図４では第１の実施形態の図２と同一部分には同一符号を付している。本実施形態のアクチュエータ１３の概略構成は第１の実施形態と同一であるので、詳細な説明は省略する。
【００４７】
図４（ｂ）において対物レンズ１７より照射されるレーザ光の光ディスク上での位置Ｐにおける記録トラックの接線を示す（図中その方向を矢印Ａで示す）。本実施形態においても、この記録トラックの接線を含み、光ディスクに対して垂直な仮想平面Ｓａによって分離された内側領域（光ディスクの中心を含む領域）には弾性支持部材２０ａ１，２０ａ２が互いに略平行となるように配置されている。反対の外側領域には弾性支持部材２０ｂ１，２０ｂ２が互いに略平行になるように配置されている。
【００４８】
また図４（ｂ）において記録トラックのレーザ光照射位置Ｐにおける法線を示す（図中その方向を矢印Ｂで示す）。
【００４９】
この法線を含み、光ディスクに対して垂直な仮想平面をＳｂとすると、外側領域に配置された弾性支持部材２０ｂ１，２０ｂ２の先端の取り付け部１９ｂ１，１９ｂ２と、基端の固定部２１ｂ１，２１ｂ２は、この仮想平面Ｓｂを挟んで異なる側に配置されている。内側領域に配置された弾性支持部材２０ａ１，２０ａ２の先端の取り付け部１９ａ１，１９ａ２と、基端の固定部２１ａ１，２１ａ２は、この仮想平面Ｓｂに対して同一側に配置されている。
【００５０】
要するに、図２の場合と同様にレンズ保持部材１８の取り付け部と支持基台１６間に平行に配置された４本の弾性支持部材のうち、光ディスク内周側に対応する弾性支持部材２０ｂ１，２０ｂ２と光ディスク外周側に対応する弾性支持部材２０ａ１，２０ａ２が左右非対称に配置されている。
【００５１】
その際、光ディスク外周側に対応する弾性支持部材２０ｂ１，２０ｂ２がレンズ保持部材１８の前方側に、光ディスク内周側に対応する弾性支持部材２０ａ１，２０ａ２がレンズ保持部材１８の後方側にずらして配置されている。
【００５２】
更に本実施形態においてはレンズ保持部材１８の外形寸法は第１の実施形態と略同一である。但し、対物レンズ１７はレンズ保持部材１８の中心ではなく、外側領域に配置された弾性支持部材２０ｂ１，２０ｂ２の先端の取り付け部１９ｂ１，１９ｂ２に近寄せて取り付けられている。
【００５３】
そこでこのような配置に合わせて、支持基台１６全体の形状も非対称（平行四辺形に近い形状）に形成されている。また、光学基台５のスピンドルモータ２と対向する側には凹部５１を形成する等、光学基台５及びシャーシ４もこのようなアクチュエータ１３の配置、形状に合わせて最小の寸法、形状で形成されている。
【００５４】
図５は本実施形態において光ピックアップ１が最外周Ｔ２に位置している状態を示す。対物レンズ１７を、取り付け部１９ａ２，１９ｂ２に近寄せて取り付けたことにより、光ピックアップ１の光ディスクの外縁２２よりも外側への突出量は、図３に示す第１の実施形態に比較して更に低減することができる。その結果、より一層シャーシ４を光ディスクの外形寸法に近づけることができる。
【００５５】
また逆に内周方向への移動においては、内側領域に配置された取り付け部１９ａ１，１９ａ２をスピンドルモータ２に衝突させることなく、より内周にまで光ピックアップ１を移動させることができる。従って光ディスクの記録トラックの最内周Ｔ１をより内周にすれば、記録容量を増大させることが可能である。
【図面の簡単な説明】
【００５６】
【図１】本発明に係る光ディスク装置の第１の実施形態を示す平面図である。
【図２】本発明に係るアクチュエータの第１の実施形態を示す斜視図と平面図である。
【図３】本発明の第１の実施形態において光ピックアップが記録トラックの最外周に位置した状態を示す図である。
【図４】本発明に係るアクチュエータの第２の実施形態を示す斜視図と平面図である。
【図５】本発明の第２の実施形態において光ピックアップが記録トラックの最外周に位置した状態を示す図である。
【図６】従来例の光ディスク装置を示す平面図である。
【図７】図６の従来装置におけるアクチュエータの構成を示す斜視図と平面図である。
【図８】従来例の光ディスク装置において光ピックアップが記録トラックの最外周に位置した状態を示す図である。
【符号の説明】
【００５７】
１  光ピックアップ
２  スピンドルモータ
３  ガイド軸
４  シャーシ
５  光学基台
６  レーザ光源
７  偏光ビームスプリッタ
８  コリメータレンズ
９  １／４波長板
１０  ミラー
１１  センサレンズ
１２  センサ
１３  アクチュエータ
１４  アクチュエータ基台
１５ａ，１５ｂ  磁気回路
１６  支持基台
１７  対物レンズ
１８  レンズ保持部材
１９ａ１，１９ａ２，１９ｂ１，１９ｂ２  取り付け部
２０ａ１，２０ａ２，２０ｂ１，２０ｂ２  弾性支持部材
２１ａ１，２１ａ２，２１ｂ１，２１ｂ２  固定部
２２  光ディスクの外縁
５０  光ディスク
５１  凹部
【図１】
2008021346.tif 000003
【図２】
2008021346.tif 000004
【図３】
2008021346.tif 000005
【図４】
2008021346.tif 000006
【図５】
2008021346.tif 000007
【図６】
2008021346.tif 000008
【図７】
2008021346.tif 000009
【図８】
2008021346.tif 000010